(57)【特許請求の範囲】
【請求項１】
楽音の発生源となる音源情報が読出可能に記憶された音源情報記憶手段と、
前記楽音の種類を指定する楽音種類指定情報により楽曲が構成された楽曲情報を前記音源情報記憶手段に入力するとともに、その入力される楽曲情報の楽曲を構成する楽音種類指定情報により指定される種類の楽音の発生源となる音源情報を前記音源情報記憶手段から読出す音源情報読出手段と、
この音源情報読出手段により読出された音源情報を入力するとともに、その音源情報により示される楽音を演奏する楽音演奏手段とが備えられた楽音再生装置において、
前記音源情報には、楽器から発生する楽音の発生源となる音源情報が含まれており、
楽器に設けられており、その楽器から発生する演奏信号を出力する出力端子を接続する接続端子と、この接続端子に前記出力端子が接続された際にスイッチング信号を発生するスイッチとが備えられたスイッチング信号発生手段と、
前記スイッチから発生されたスイッチング信号を入力するとともに、その入力されたスイッチング信号により、前記音源情報記憶手段に入力される楽音種類指定情報のうち、前記接続端子に出力端子が接続された楽器に対応する楽器から発生する楽音の発生源となる音源情報を指定する楽音種類指定情報を当該楽曲の再生前に削除し、前記音源情報の先頭に当該楽曲の始まりをカウントする音源を指定する曲カウントデータを付与する楽音種類指定情報削除手段と、
が備えられたことを特徴とする楽音再生装置。
【請求項２】
前記接続端子は、複数の楽器の出力端子を接続可能に複数備えられており、
それら複数の接続端子には、前記スイッチがそれぞれ接続されており、
前記楽音種類指定情報削除手段は、
前記スイッチング信号を入力するとともに、その入力されたスイッチング信号により、前記音源情報記憶手段に入力される楽音種類指定情報のうち、前記スイッチング信号を発生したスイッチが接続された接続端子に接続された楽器に対応する種類の楽器から発生する楽音の発生源となる音源情報を指定する楽音種類指定情報を削除するものであることを特徴とする請求項１に記載の楽音再生装置。
【請求項３】
前記スイッチング信号を入力するとともに、その入力したスイッチング信号をワイヤレスで送信するスイッチング信号送信手段が備えられており、
前記楽音種類指定情報削除手段は、
前記スイッチング信号送信手段から送信されたスイッチング信号を受信するスイッチング信号受信手段を備え、そのスイッチング信号受信手段により受信されたスイッチング信号により、前記音源情報記憶手段に入力される楽音種類指定情報のうち、所定の楽器から発生する楽音の発生源となる音源情報を指定する楽音種類指定情報を削除するものであるたことを特徴とする請求項１または請求項２に記載の楽音再生装置。
【請求項４】
前記楽音演奏手段は、
前記音源情報読出手段により読出された音源情報を入力するとともに、その音源情報により示される楽音を演奏し、かつ、前記接続端子に出力端子が接続された楽器から発生する演奏信号を入力するとともに、その入力された演奏信号を再生するものであることを特徴とする請求項１ないし請求項３のいずれか１つに記載の楽音再生装置。
【請求項５】
前記接続端子に出力端子が接続された楽器から発生する演奏信号を入力するとともに、その入力された演奏信号をワイヤレスで送信する演奏信号送信手段が備えられており、
前記楽音演奏手段は、
前記演奏信号送信手段から送信された演奏信号を受信する演奏信号受信手段を備え、その演奏信号受信手段により受信された演奏信号により、前記音源情報読出手段により読出された音源情報を入力するとともに、その音源情報により示される楽音を演奏し、かつ、前記接続端子に出力端子が接続された楽器から発生する演奏信号を入力するとともに、その入力された演奏信号を再生するものであることを特徴とする請求項４に記載の楽音再生装置。
【請求項６】
前記接続端子には、その接続端子に接続された出力端子に出力される演奏信号を入力するとともに、その入力された演奏信号の音程を表示する音程表示手段が接続されてなることを特徴とする請求項１ないし請求項５のいずれか１つに記載の楽音再生装置。
【請求項７】
前記楽音種類指定情報には、
前記楽音のミュートを指定するミュート指定情報が含まれており、
前記スイッチング信号発生手段から発生されたスイッチング信号を入力するとともに、その入力されたスイッチング信号により、前記音源情報記憶手段に入力される楽音種類指定情報のうち、所定の楽音種類指定情報を前記ミュート指定情報を含む楽音種類指定情報に変更する楽音種類指定情報変更手段が備えられたことを特徴とする請求項１ないし請求項６のいずれか１つに記載の楽音再生装置。
【請求項８】
前記楽曲情報は、通信手段を介して送信されるものであり、
前記音源情報読出手段は、
前記送信された楽曲情報を前記音源情報記憶手段に入力するとともに、その入力される楽曲情報の楽曲を構成する楽音種類指定情報により指定される種類の楽音の発生源となる音源情報を前記音源情報記憶手段から読出すものであることを特徴とする請求項１ないし請求項７のいずれか１つに記載の楽音再生装置。
【請求項９】
前記曲カウントデータが指定する音源が、ドラム音であることを特徴とする請求項１ないし請求項８のいずれか１つに記載の楽音再生装置。
【発明の詳細な説明】
【０００１】
【発明の属する技術分野】
この発明は、楽音を再生する楽音再生装置であって、楽音を示すＭＩＤＩ(Musical Instrument Digital Interface)データを再生してカラオケを行うカラオケ装置として好適なものに関する。
【０００２】
【従来の技術】
従来、上記カラオケ装置としては、曲データを保有するサーバーと通信回線により接続されており、サーバーから曲データを受信する、いわゆる通信カラオケ装置が知られている。
上記曲データは、曲の演奏部分を示すＭＩＤＩデータおよび歌詞テロップを示す歌詞テロップデータなどから構成されており、ＭＩＤＩデータは、上記カラオケ装置に備えられたＭＩＤＩ音源、アンプおよびスピーカなどにより再生され、歌詞テロップデータは、歌詞テロップとしてモニタテレビに表示される。また、歌詞テロップの背景に表示される背景映像は、カラオケ装置に備えられたＣＤ−ＲＯＭプレーヤにより再生され、モニタテレビに表示される。
そして、カラオケ装置の利用者は、モニタテレビに表示される歌詞テロップおよび背景映像を見ながら、アンプに接続されたマイクロフォンを通して歌う（カラオケする）ことができる。
【０００３】
【発明が解決しようとする課題】
ところで、上記従来のものでは、マイクロフォンを通して歌うことに主眼が置かれているため、もっぱらマイクロフォンを片手に歌うことが主な楽しみ方であるが、楽器を演奏できる者にとっては、楽器を演奏しながら歌いたい場合がある。また、マイクロフォンを持たない者は、一緒に歌ったり、手拍子を打ったりしてカラオケに参加することができるが、楽器を演奏できる者は、楽器を演奏して参加したい場合がある。
しかし、カラオケ装置のそばで楽器を演奏しても、その楽器と同じ楽器の音がスピーカから出る場合には、その音により自分の楽器から出る音が打ち消されて目立たなくなるため、演奏して参加している感じが出ないという問題がある。また、エレキギターやキーボードなどの電子楽器を演奏する場合は、それらの電子楽器を接続して再生する手段がカラオケ装置に備わっていないため、ギターアンプなどを持ち込まなければならないという問題がある。
【０００４】
そこで、本発明は、楽音の発生源となる音源情報が記憶された音源情報記憶手段から読出される音源情報により示される楽音のうち、所定の種類の楽音が演奏されないようにすることができる楽音再生装置の実現を目的とする。
【０００５】
【課題を解決するための手段】
本発明は、上記目的を達成するため、
請求項１に記載の発明では、楽音の発生源となる音源情報が読出可能に記憶された音源情報記憶手段と、
前記楽音の種類を指定する楽音種類指定情報により楽曲が構成された楽曲情報を前記音源情報記憶手段に入力するとともに、その入力される楽曲情報の楽曲を構成する楽音種類指定情報により指定される種類の楽音の発生源となる音源情報を前記音源情報記憶手段から読出す音源情報読出手段と、
この音源情報読出手段により読出された音源情報を入力するとともに、その音源情報により示される楽音を演奏する楽音演奏手段とが備えられた楽音再生装置において、
前記音源情報には、楽器から発生する楽音の発生源となる音源情報が含まれており、
楽器に設けられており、その楽器から発生する演奏信号を出力する出力端子を接続する接続端子と、この接続端子に前記出力端子が接続された際にスイッチング信号を発生するスイッチとが備えられたスイッチング信号発生手段と、
前記スイッチから発生されたスイッチング信号を入力するとともに、その入力されたスイッチング信号により、前記音源情報記憶手段に入力される楽音種類指定情報のうち、前記接続端子に出力端子が接続された楽器に対応する楽器から発生する楽音の発生源となる音源情報を指定する楽音種類指定情報を当該楽曲の再生前に削除し、前記音源情報の先頭に当該楽曲の始まりをカウントする音源を指定する曲カウントデータを付与する楽音種類指定情報削除手段と、
が備えられたという技術的手段を採用する。
【０００６】
【０００７】
請求項２に記載の発明では、請求項１に記載の楽音再生装置において、前記接続端子は、複数の楽器の出力端子を接続可能に複数備えられており、
それら複数の接続端子には、前記スイッチがそれぞれ接続されており、
前記楽音種類指定情報削除手段は、
前記スイッチング信号を入力するとともに、その入力されたスイッチング信号により、前記音源情報記憶手段に入力される楽音種類指定情報のうち、前記スイッチング信号を発生したスイッチが接続された接続端子に接続された楽器に対応する種類の楽器から発生する楽音の発生源となる音源情報を指定する楽音種類指定情報を削除するものであるという技術的手段を採用する。
【０００８】
請求項３に記載の発明では、請求項１または請求項２に記載の楽音再生装置において、前記スイッチング信号を入力するとともに、その入力したスイッチング信号をワイヤレスで送信するスイッチング信号送信手段が備えられており、
前記楽音種類指定情報削除手段は、
前記スイッチング信号送信手段から送信されたスイッチング信号を受信するスイッチング信号受信手段を備え、そのスイッチング信号受信手段により受信されたスイッチング信号により、前記音源情報記憶手段に入力される楽音種類指定情報のうち、所定の楽器から発生する楽音の発生源となる音源情報を指定する楽音種類指定情報を削除するものであるという技術的手段を採用する。
【０００９】
請求項４に記載の発明では、請求項１ないし請求項３のいずれか１つに記載の楽音再生装置において、前記楽音演奏手段は、
前記音源情報読出手段により読出された音源情報を入力するとともに、その音源情報により示される楽音を演奏し、かつ、前記接続端子に出力端子が接続された楽器から発生する演奏信号を入力するとともに、その入力された演奏信号を再生するものであるという技術的手段を採用する。
【００１０】
請求項５に記載の発明では、請求項４に記載の楽音再生装置において、前記接続端子に出力端子が接続された楽器から発生する演奏信号を入力するとともに、その入力された演奏信号をワイヤレスで送信する演奏信号送信手段が備えられており、
前記楽音演奏手段は、
前記演奏信号送信手段から送信された演奏信号を受信する演奏信号受信手段を備え、その演奏信号受信手段により受信された演奏信号により、前記音源情報読出手段により読出された音源情報を入力するとともに、その音源情報により示される楽音を演奏し、かつ、前記接続端子に出力端子が接続された楽器から発生する演奏信号を入力するとともに、その入力された演奏信号を再生するものであるという技術的手段を採用する。
【００１１】
請求項６に記載の発明では、請求項１ないし請求項５のいずれか１つに記載の楽音再生装置において、前記接続端子には、その接続端子に接続された出力端子に出力される演奏信号を入力するとともに、その入力された演奏信号の音程を表示する音程表示手段が接続されてなるという技術的手段を採用する。
【００１２】
請求項７に記載の発明では、請求項１ないし請求項６のいずれか１つに記載の楽音再生装置において、前記楽音種類指定情報には、
前記楽音のミュートを指定するミュート指定情報が含まれており、
前記スイッチング信号発生手段から発生されたスイッチング信号を入力するとともに、その入力されたスイッチング信号により、前記音源情報記憶手段に入力される楽音種類指定情報のうち、所定の楽音種類指定情報を前記ミュート指定情報を含む楽音種類指定情報に変更する楽音種類指定情報変更手段が備えられたという技術的手段を採用する。
【００１３】
請求項８に記載の発明では、請求項１ないし請求項７のいずれか１つに記載の楽音再生装置において、前記楽曲情報は、通信手段を介して送信されるものであり、
前記音源情報読出手段は、
前記送信された楽曲情報を前記音源情報記憶手段に入力するとともに、その入力される楽曲情報の楽曲を構成する楽音種類指定情報により指定される種類の楽音の発生源となる音源情報を前記音源情報記憶手段から読出すものであるという技術的手段を採用する。
【００１４】
請求項９に記載の発明では、請求項１ないし請求項８のいずれか１つに記載の楽音再生装置において、前記曲カウントデータが指定する音源が、ドラム音であるという技術的手段を採用する。
【００１５】
【作用】
請求項１ないし請求項９に記載の発明では、楽器に設けられており、その楽器から発生する演奏信号を出力する出力端子を接続する接続端子と、この接続端子に出力端子が接続された際にスイッチング信号を発生するスイッチとが備えられたスイッチング信号発生手段と、スイッチから発生されたスイッチング信号を入力するとともに、その入力されたスイッチング信号により、音源情報記憶手段に入力される楽音種類指定情報のうち、接続端子に出力端子が接続された楽器に対応する楽器から発生する楽音の発生源となる音源情報を指定する楽音種類指定情報を当該楽曲の再生前に削除し、音源情報の先頭に当該楽曲の始まりをカウントする音源を指定する曲カウントデータを付与する楽音種類指定情報削除手段とを備える。
つまり、当該楽曲の再生前に削除された上記楽音種類指定情報は、音源情報記憶手段に入力されないため、その削除された楽音種類指定情報により指定される種類の楽音の発生源となる音源情報は、音源情報記憶手段から読み出されず、スイッチに接続された楽器に対応する楽器の音が楽音演奏手段により演奏されないようにすることができる。
更に、音源情報の先頭に当該楽曲の始まりをカウントする音源を指定する曲カウントデータを付与されるため、例えば、請求項９に記載の発明のように、ドラム音を音源とし、楽曲の始まりをカウントすることにより、削除した楽音を楽器によって演奏する者が、演奏を開始するタイミングをとり易くすることができる。
【００１６】
たとえば、後述する発明の実施の形態に記載するように、スイッチング信号発生手段たる楽器接続ボード８にエレキベースギター３を接続することにより、楽器接続ボード８からスイッチング信号たる指定データが出力され、音源情報記憶手段たるＭＩＤＩ音源ボード５１に書込まれるＭＩＤＩデータ１１０のうち、エレキベースギターの音を指定するＭＩＤＩデータが＃３が削除される。これにより、エレキベースギターの音が演奏されないようにできる。
【００１７】
特に、請求項７に記載の発明では、上記楽音種類指定情報には、上記楽音のミュートを指定するミュート指定情報が含まれており、上記スイッチング信号発生手段から発生されたスイッチング信号を入力するとともに、その入力されたスイッチング信号により、前記音源情報記憶手段に入力される楽音種類指定情報のうち、所定の楽音種類指定情報を上記ミュート指定情報を含む楽音種類指定情報に変更する楽音種類指定情報変更手段を備える。
つまり、上記変更された楽音種類指定情報により指定される種類の楽音の発生源となる音源情報は音源情報記憶手段から読み出され、この読み出された音源情報により示される楽音は、楽音演奏手段によりミュートをかけて演奏される。
したがって、上記スイッチング信号を発生させることにより、楽音演奏手段により演奏される所定の種類の楽音を目立たないようにすることができる。
【００１８】
【００１９】
【００２０】
また、請求項２に記載の発明では、上記接続端子は、複数の楽器の出力端子を接続可能に複数備えられており、それら複数の接続端子には、上記スイッチがそれぞれ接続されている。そして、上記楽音種類指定情報削除手段は、上記スイッチング信号を入力するとともに、その入力されたスイッチング信号により、上記音源情報記憶手段に入力される楽音種類指定情報のうち、上記スイッチング信号を発生したスイッチが接続された接続端子に接続された楽器に対応する種類の楽器から発生する楽音の発生源となる音源情報を指定する楽音種類指定情報を削除する。
つまり、スイッチに接続された複数の楽器に対応する楽器の音が楽音演奏手段により演奏されないようにすることができる。
【００２１】
さらに、請求項３に記載の発明では、上記スイッチング信号を入力するとともに、その入力したスイッチング信号をワイヤレスで送信するスイッチング信号送信手段が備えられている。そして、上記楽音種類指定情報削除手段は、スイッチング信号受信手段により、上記スイッチング信号を受信するとともに、その受信されたスイッチング信号により、上記音源情報記憶手段に入力される楽音種類指定情報のうち、所定の楽器から発生する楽音の発生源となる音源情報を指定する楽音種類指定情報を削除する。
つまり、スイッチと楽音種類指定情報削除手段とを接続コード類で接続しなくても、スイッチに接続された楽器に対応する楽器の音が楽音演奏手段により演奏されないようにすることができる。
【００２２】
また、請求項４に記載の発明では、上記楽音演奏手段は、上記音源情報読出手段により読出された音源情報を入力するとともに、その音源情報により示される楽音を演奏し、かつ、上記接続端子に出力端子が接続された楽器から発生する演奏信号を入力するとともに、その入力された演奏信号を再生する。
つまり、楽音演奏手段は、楽曲を演奏するとともに、接続端子に接続された楽器から発生する演奏信号を再生する。
【００２３】
さらに、請求項５に記載の発明では、上記接続端子に出力端子が接続された楽器から発生する演奏信号を入力するとともに、その入力された演奏信号をワイヤレスで送信する演奏信号送信手段が備えられている。そして、上記楽音演奏手段は、演奏信号受信手段により上記演奏信号送信手段から送信された演奏信号を受信し、その受信された演奏信号により、上記音源情報読出手段により読出された音源情報を入力するとともに、その音源情報により示される楽音を演奏し、かつ、上記接続端子に出力端子が接続された楽器から発生する演奏信号を入力するとともに、その入力された演奏信号を再生する。
つまり、楽器の演奏信号をワイヤレスで送信して再生できる。
【００２４】
また、請求項６に記載の発明では、上記接続端子には、その接続端子に接続された出力端子に出力される演奏信号を入力するとともに、その入力された演奏信号の音程を表示する音程表示手段が接続されてなる。
つまり、上記音程表示手段により表示される音程を見ながら、上記接続端子に接続された楽器の音程を上記楽音演奏手段により演奏される楽音の音程に合わせることができる。
【００２５】
さらに、請求項１ないし請求項７のいずれか１つに記載の技術的手段は、請求項８に記載の発明のように、上記楽曲情報は、通信手段を介して送信されるものであり、上記音源情報読出手段は、上記送信された楽曲情報を上記音源情報記憶手段に入力するとともに、その入力される楽曲情報の楽曲を構成する楽音種類指定情報により指定される種類の楽音の発生源となる音源情報を上記音源情報記憶手段から読出す構成の楽音再生装置に好適に採用される。
【００２６】
つまり、たとえば、後述する発明の実施の形態に記載するように、楽音再生装置たる通信カラオケ装置では、通信回線を介して受信される曲データ１１０の演奏部分１３０がＭＩＤＩデータで構成されており、そのＭＩＤＩデータをＭＩＤＩ音源ボード５１に書込むことにより、ＭＩＤＩデータを再生するため、そのＭＩＤＩ音源ボードに書込まれる前に所定のＭＩＤＩデータを削除することにより、そのＭＩＤＩデータにより示される楽音が演奏されないようにできる。
【００２７】
【発明の実施の形態】
以下、本発明の楽音再生装置の実施形態について図を参照して説明する。
なお、以下の各実施形態では、楽音再生装置の一例として、楽曲情報たる曲データを保有するサーバーと通信回線により接続されており、サーバーから曲データを受信する、いわゆる通信カラオケ装置を代表に説明する。また、カラオケ装置の利用者は、エレキベースギターを演奏するものとする。
【００２８】
まず、本発明第１実施形態のカラオケ装置の主要構成について、その外観を示す図１を参照して説明する。
図１に示すように、カラオケ装置１０には、歌詞を示す歌詞テロップ、歌詞テロップの背景に表示する背景映像、選曲番号を示す映像などをＣＲＴに表示するモニタテレビ（以下、モニタと略称する）１３と、歌唱者用のモニタ１４とが備えられている。
【００２９】
また、カラオケ装置１０には、エレキベースギター３やエレキギターなどの電子楽器を接続するスイッチング信号発生手段たる楽器接続ボード８と、楽音により構成される楽曲たるカラオケ用の曲（以下、曲と略称する）の選曲、および曲の再生の予約などの選曲制御、選曲された曲の送信要求を示すリクエスト信号のサーバーへの送信、およびリクエスト信号により示される曲に対応する曲データの受信などの通信制御、受信された曲データに含まれる楽音種類指定情報たるＭＩＤＩデータのうち、楽器接続ボード８に接続された楽器と同じ種類の楽器の音源を指定するＭＩＤＩデータの削除などを行う制御装置（コマンダ）２０が備えられている。
【００３０】
さらに、カラオケ装置１０には、楽器接続ボード８から入力される楽器の演奏信号、マイクロフォン１７，１８から入力される音声信号および曲の再生信号のミキシング、音声と曲との音量バランス、エコー調整、ディレイ調整、ミキシング信号の増幅、再生される曲の音程制御（キーコントロール）、高音、低音の制御（トーンコントロール）などを行うアンプ１６と、このアンプ１６から出力される増幅信号を音として再生するフロアータイプの１組のスピーカ１１，１１と、天井吊下げ用の１組のスピーカ１２，１２と、制御装置２０を遠隔操作する送信器６０とが備えられている。
【００３１】
次に、楽器接続ボード８の構成について図２を参照して説明する。
図２（Ａ）は、楽器接続ボード８の前面パネルの説明図、同図（Ｂ）は、楽器接続ボード８の背面パネルの説明図である。
図２（Ａ）に示すように、楽器接続ボード８の前面パネルの左上には、楽器接続ボード８の電源を立ち上げるための電源ボタン８１が設けられており、その右方には、電子ドラムの出力端子であるホーンプラグを接続する接続端子たるホーンジャック８２と、キーボードのホーンプラグを接続するホーンジャック８３と、エレキベースギター３のホーンプラグ３ａを接続するホーンジャック８４と、エレキギターのホーンプラグを接続する入力端子８５と、楽器の音程をＬＥＤで表示する音程表示手段たるチューニングメーターのプラグを接続するジャック８６とが設けられている。
また、図２（Ｂ）に示すように、楽器接続ボード８の背面パネルには、各ホーンジャック８２ないし８５に入力される演奏信号をそれぞれ出力する出力端子８２ｄないし８５ｄが設けられている。
【００３２】
ここで、上記各ホーンジャック８２ないし８５の構造について図３および図４を参照して説明する。
なお、各ホーンジャック８２ないし８５の構造は、それぞれ同一であるため、ここでは、エレキベースギター３のホーンプラグ３ａを接続するホーンジャック８４を代表に説明する。
図３は、ホーンジャック８４の内部構造を示す説明図であり、同図（Ａ）は、エレキベースギター３のホーンプラグ３ａが接続されていない状態の説明図であり、同図（Ｂ）は、ホーンプラグ３ａが接続された状態の説明図である。図４は、楽器接続ボード８の内部に設けられた拡張Ｉ／Ｏポートと各ホーンジャックとの接続関係を示す説明図である。
【００３３】
図３に示すように、ホーンジャック８４には、挿入されたホーンプラグ３ａの外周を保持するリング状の保持部材８４ａが設けられており、この保持部材８４ａには、ホーンプラグ３ａの下面を支持する支持部材８４ｂが一体形成されており、この支持部材８４ｂは、リード線８４ｃにより図示しない内部回路に接地されている。上記支持部材８４ｂの上方には、ホーンプラグ３ａの保持部材８４ａへの挿入によりＯＮし、離脱によりＯＦＦするスイッチ８０が設けられている。
【００３４】
スイッチ８０には、上部固定端８０ａが備えられており、その上部固定端８０ａから下方へ間隔を置いて下部固定端８０ｂが備えられている。上部固定端８０ａには、上部可動接片８０ｃの基端が固定されており、下部固定端８０ｂには、下部可動接片８０ｄの基端が固定されている。上部接片８０ｃの先端部と、下部接片８０ｄの先端部との間には、絶縁材料で板状に形成された絶縁部材８０ｅが取付けられており、絶縁部材８０ｅの下部には、下部可動接片８０ｄと導通するＶ字形状の当接部材８０ｆが取付けられている。
なお、保持部材８４ａ、支持部材８４ｂ、上部可動接片８０ｃおよび下部可動接片８０ｄは、電気的導通材料により形成されており、上部可動接片８０ｃおよび下部可動接片８０ｄは、バネ性を有する。
【００３５】
また、上部固定端８０ａと下部固定端８０ｂとの中間には、中間固定端８０ｇが備えられており、この中間固定端８０ｇには、板状の固定接片８０ｈの基端が固定されている。固定接片８０ｈは、電気的導通材料により形成されており、中間固定端８０ｇを介してアース線８４ｆにより接地されている。また、固定接片８０ｈは、ホーンプラグ３ａが挿入されていない場合は、図３（Ａ）に示すように、その先端が、上部可動接片８０ｃと接触している。下部可動接片８０ｄは、下部固定端８０ｂを介して信号線８４ｅと電気的に接続されており、上部可動接片８０ｃは、上部固定端８０ａを介してリード線８４ｇにより、図４に示すＩ／Ｏポート８８の検知ポートＰ０２に接続されている。また、上部可動接片８０ｃと固定接片８０ｈとの間には、５Ｖの直流電圧が印加される。抵抗Ｒ１は、ノイズを除去するためのものである。
【００３６】
そして、図３（Ｂ）に示すように、ホーンプラグ３ａが保持部材８４ａに挿入されると、ホーンプラグ３ａの信号側３ｄの先端上部の傾斜面が当接部材８０ｆの下端に当接し、さらにホーンプラグ３ａの挿入を進めると、アース側３ｃの上面により、当接部材８０ｆが上昇する。これにより、絶縁部材８０ｅおよび上部可動接片８０ｃが上昇し、上部可動接片８０ｃが固定接片８０ｈの先端から離れる。これにより、拡張Ｉ／Ｏポート８８の検知ポートＰ０２に現れる電圧は、０Ｖ（ローレベル）から５Ｖ（ハイレベル）に変化し、この変化は、背面の出力端子８７を介して後述する制御装置２０に備えられたＣＰＵ４５により検出される。
【００３７】
一方、ホーンプラグ３ａの信号側３ｄは、当接部材８０ｆに接触し、アース側３ｂは、保持部材８４ａに接触している。これにより、エレキベースギター３から出力される演奏信号は、ホーンプラグ３ａ、下部可動接片８０ｄ、下部固定端８０ｂおよび信号線８４ｅを介して背面の出力端子８４ｄへ出力され、この出力された演奏信号は、後述するアンプ１６に内蔵されたミキサー回路９に入力される。
【００３８】
また、図４に示すように、電子ドラム１の演奏信号は、ホーンジャック８２を介して拡張Ｉ／Ｏポート８８の検知ポートＰ００に、キーボード２の演奏信号は、ホーンジャック８３を介して検知ポートＰ０１に、エレキギター４の演奏信号は、ホーンジャック８５を介して検知ポートＰ０３にそれぞれ入力される。
さらに、ホーンジャック８４，８５は、チューニングメーター５を接続する出力端子８６に接続されており、エレキベースギター３およびエレキギター４の音程をチューニングできるようになっている。
【００３９】
以上のように、楽器接続ボード８は、各楽器のホーンプラグが接続されたことを検出するとともに、接続された楽器の演奏信号をミキシング回路９へ出力する役割をする。
なお、ホーンプラグ３ａを保持部材８４ａから離脱させると、スイッチ８０は、上部可動接片８０ｃおよび下部可動接片８０ｄの復元力により、図３（Ａ）に示す原点に復帰する。
また、上部可動接片８０ｃおよび下部可動接片８０ｄの基端をそれぞれ上部固定端８０ａおよび下部固定端８０ｂに回動自在に取付け、絶縁性部材８０ｅの自重により、スイッチ８０を原点へ復帰させる構成にすることもできる。
さらに、上記のような機械的スイッチに代えて、磁気スイッチ、磁気センサ、光学センサなどを用いることもできる。
【００４０】
次に、制御装置２０の装備について図５を参照して説明する。
図５（Ａ）は、制御装置２０の前面パネルの説明図、同図（Ｂ）は、制御装置２０の背面パネルの説明図である。
図５（Ａ）に示すように、制御装置２０の前面パネルには、選曲する曲の選曲番号の入力などを行うための０〜９のボタンからなるテンキー２１と、選曲を確定するための選曲ボタン２２とが設けられており、テンキー２１の上には、選曲された曲の選曲番号を６桁の数字でＬＥＤ表示する選曲番号表示体２３が設けられている。
【００４１】
また、選曲番号表示体２３の左には、再生が予約されている曲の数をＬＥＤ表示する予約曲数表示体２４が設けられており、その下には、予約の取消を行うための取消しボタン２５と、演奏を停止させる演奏停止ボタン２６と、歌っている途中で最初から歌い直すための歌い直しボタン２７と、予約曲の間に割り込んで予約するための割り込みボタン２８とが設けられている。さらに、前面パネルの左上には、送信器６０から送信される光信号を受光する受光部３８が設けられており、左下には、制御装置２０の電源を立ち上げる電源ボタン３９が設けられている。
【００４２】
また、テンキー２１の右には、キーを低くするフラットキー２９と、キーを標準にする標準キー３０と、キーを高くするシャープキー３１とが設けられており、それらキーの下には、ボーカルのメロディーラインの音量を設定するボーカルボタン３２と、２コーラス目までを再生する２コーラスカットボタン３３と、曲の後奏部分をカットする後奏カットボタン３４とが設けられている。
さらに、それらボタンの下には、カラオケとＢＧＭ用とを切り替えるカラオケ切替ボタン３５と、ＬＡＮ回線７を介して入力されるデータを曲データから有線放送、テレビ放送などに切り替える入力切替ボタン３６と、モニタ１３，１４の表示をカラオケボックスなどが提供しているサービス情報の表示に切り替えるサービスボタン３７とが設けられている。
【００４３】
また、図５（Ｂ）に示すように、制御装置２０の背面パネルには、ＬＡＮ回線１５を接続する通信端子４０が設けられており、この通信端子４０の右方には、楽器接続ボード８の出力端子８７（図２（Ｂ）参照）と接続される入力端子４４が設けられている。この入力端子４４の右方には、アンプ１６の音声入力端子（図示省略）と接続される音声出力端子４１と、モニタ１３の映像入力端子（図示省略）と接続される映像出力端子４２と、モニタ１４の映像入力端子（図示省略）と接続される映像出力端子４３とが設けられている。
【００４４】
次に、上記制御装置２０の制御系の構成について図６、図７（Ａ）および図８（Ａ）を参照して説明する。
図６は、制御装置２０の制御系の主要構成をブロックで示す説明図である。図７（Ａ）は、サーバーから制御装置２０へ送信される曲データの主要構成を示す説明図であり、図８（Ａ）は、曲データに含まれるＭＩＤＩデータの主要構成を示す説明図である。
【００４５】
最初に、曲データの主要構成について図７（Ａ）を参照して説明する。
曲データ１００は、曲の演奏部分を示すＭＩＤＩデータ１１０、歌詞テロップ（字幕）を示す歌詞テロップデータ１４０、および曲のジャンルを示すジャンルデータ１５０などから構成される。また、ＭＩＤＩデータ１１０は、図８（Ａ）に示すように、電子ドラムの音源を指定するＭＩＤＩデータ＃１、キーボードの音源を指定するＭＩＤＩデータ＃２、エレキベースギターの音源を指定するＭＩＤＩデータ＃３、エレキギターの音源を指定するＭＩＤＩデータ＃４、音源から音源信号を出力させることを指定するノートＯＮデータ１１２、音の強さ（音源信号の出力レベル）を指定するレベルデータ１１４、および音源から音源信号を出力させないことを指定するノートＯＦＦデータ１１６などのデータから構成される。
【００４６】
次に、制御装置２０の制御系の主要構成について、それをブロックで示す図６を参照して説明する。
制御装置２０には、上記各種制御をプログラムにしたがって実行するＣＰＵ４５が備えられている。ＣＰＵ４５には、送信器６０から送信されるデータ、選曲された曲の選曲番号を示す選曲番号データ、予約された曲の選曲番号データなどを一時保存するためのＲＡＭ４６と、図９に示すデータテーブル７８およびＣＰＵ４５により実行されるプログラムなどが記憶されたＲＯＭ４７とが接続されている。
【００４７】
ここで、データテーブル７８について図９を参照して説明する。
データテーブル７８は、上記楽器接続ボード８の拡張Ｉ／Ｏポート８８により検知された検知データに基づいて、削除すべきＭＩＤＩデータを設定するためのものである。図９において、Ｄ０ないしＤ７は、図４に示すように、拡張Ｉ／Ｏポート８８の検知ポートＰ００ないしＰ０７に対応するＣＰＵ４５の入力ポートをそれぞれ示し、入力ポートＤ４ないしＤ７は、楽器接続ボード８に上記楽器以外の楽器を接続するための予備の検知ポートＰ０４ないしＰ０７にそれぞれ対応する入力ポートである。また、入力ポートＤ４ないしＤ７は、本実施形態では、用いないため、Ｘで表されているが、そのＸは、どんな値でもよい。
【００４８】
たとえば、エレキベースギター３のみを接続した場合は、エレキベースギター３のホーンプラグ３ａを接続するホーンジャック８４に対応する検知ポートＰ０２の入力レベルがローレベルからハイレベルに変化するため、ＣＰＵ４５の入力ポートＤ２では「１」が検出され、削除すべきＭＩＤＩデータを指定する指定データは、Ｘ４Ｈになる。
つまり、ＣＰＵ４５は、指定データＸ４Ｈを検出することにより、楽器接続ボード８にエレキベースギター３１が接続されたと判定し、削除する対象となるＭＩＤＩデータは、ＭＩＤＩデータ＃３であると認識する。
【００４９】
また、ＣＰＵ４５には、モニタ１３，１４に歌詞テロップや各種メッセージ映像を表示するための文字映像データが記憶されたビデオＲＡＭ４８と、サーバー５８から送信される曲データ１００を受信するためのＬＡＮボード５０と、このＬＡＮボード５０により受信された曲データ１００を一時保存するためのＲＡＭ４９とが接続されている。
【００５０】
さらに、ＣＰＵ４５には、ＲＡＭ４９から読出された曲データ１００に含まれるＭＩＤＩデータ１１０を入力するとともに、その入力されたＭＩＤＩデータ１１０により指定される音源から音源信号を出力する音源情報記憶手段たるＭＩＤＩ音源ボード５１が接続されている。また、ＣＰＵ４５には、上記出力された音源信号を入力してアンプ１６により増幅可能な信号に変換する音声制御回路５２と、曲データ１００に含まれるジャンルデータ１５０により特定されるジャンルの背景映像を示す背景映像データを読出すＣＤ−ＲＯＭプレーヤ５３とが接続されている。
【００５１】
また、ＣＰＵ４５には、ＣＤ−ＲＯＭプレーヤ５３から読出された背景映像データ、およびＲＡＭ４９から読出された曲データ１００に含まれる歌詞テロップデータ１４０を入力し、モニタ１３の表示画面を説明する図２０に示すように、背景映像２００中に歌詞テロップ２０２がスーパーインポーズされた映像を作成したり、曲の進行にしたがって歌詞テロップ２０２の色を変えたりする映像制御を行う映像制御回路５４が接続されている。
【００５２】
さらに、ＣＰＵ４５には、受光部３８により受光された光信号をデジタル信号に変換する変換回路５５と、制御装置２０の前面パネルに設けられた各種ボタンおよびキーを押したときに点灯するＬＥＤ、選曲番号表示体２３および予約曲数表示体２４へ表示信号を出力する表示回路５６と、上記各種ボタンおよびキーを押したときに発生するスイッチング信号を入力する入力回路５７とが接続されている。
【００５３】
次に、送信器６０の構成について、その外観を示す図１０を参照して説明する。
図１０に示すように、送信器６０の上方には、選曲番号をバックライト付きの液晶で表示する選曲番号表示部６１が設けられており、その下には、制御装置２０のカラオケ切替ボタン３５と同じ作用をするカラオケ切替ボタン６２と、制御装置２０の入力切替ボタン３６と同じ作用をする外部映像ボタン６３と、サーバー８が用意しているテレビゲームを行う状態に切替えるゲームボタン６４とが設けられている。
【００５４】
また、それらボタンの下には、曲間や曲の再生終了後に拍手や歓声の音を再生するように設定するための拍手ボタン６５と、制御装置２０と同じフラットキー６６と、シャープキー６７とが設けられており、それらの下には、制御装置２０と同じテンキー６８と、選曲ボタン６９と、演奏停止ボタン７０と、歌い直しボタン７１と、取り消しボタン７２と、割り込みボタン７３とが設けられている。さらに、割り込みボタン７３の右には、ボーカルメロディーの音量を小さくするマイナスボタン７４と、音量を大きくするプラスボタン７５とが設けられている。
そして、上記各ボタンを押すと、どのボタンが押されたかを示す光信号が、送信器６０の上部に設けられた送信窓７６から発信される。
【００５５】
次に、アンプ１６の構成について、その外観を示す図１１を参照して説明する。
アンプ１６の前面パネルには、アンプ１６の電源を立ち上げる電源ボタン１６１が設けられており、その右には、アンプ１６に入力される各信号を再生する音量全体を調節するメインボリューム調節つまみ１６２と、曲の音量を調節する曲音量調節つまみ１６３と、スピーカ１１，１１およびスピーカ１２，１２から出る音の左右のバランスを調節するバランス調節つまみ１６４と、低音の強弱を調節する低音調節つまみ１６５と、高音の強弱を調節する高音調節つまみ１６６と、楽器接続ボード８に接続された楽器の演奏音量と曲の音量とのバランスを調節する音量バランス調節つまみ１６７とが設けられている。
【００５６】
また、それら各つまみの下には、楽器接続ボード８に接続された電子ドラム１の入力レベルを調節するレベル調節つまみ１７０と、キーボード２の入力レベルを調節するレベル調節つまみ１７１と、エレキベースギター３の入力レベルを調節するレベル調節つまみ１７２と、エレキギター４の入力レベルを調節するレベル調節つまみ１７３とが設けられている。さらに、前面パネルの左下には、マイクロフォン１７を接続するマイク端子１６８と、マイクロフォン１８を接続するマイク端子１６９とが設けられており、その右には、マイクロフォン１７の入力レベルを調節するマイクレベル調節つまみ１７４と、マイクロフォン１８の入力レベルを調節するマイクレベル調節つまみ１７５とが設けられている。
【００５７】
また、音量バランス調節つまみ１６７の右方には、マイクロフォン１７に入力された音声にかけられるエコーの強弱を調節するエコー調節つまみ１７７と、マイクロフォン１８に入力された音声にかけられるエコーの度合を調節するエコー調節つまみ１７８とが設けられており、その右には、エコーをＯＮ，ＯＦＦするエコースイッチ１７６が設けられている。さらに、レベル調節つまみ１７３の右には、マイクロフォン１７，１８に入力された音声にかけられるディレイの強弱を調節するディレイ調節レバー１７９と、マイクロフォン１７，１８に入力された音声の低音の強弱を調節するマイク用低音調節レバー１８０と、マイクロフォン１７，１８に入力された音声の高音の強弱を調節するマイク用高音調節レバー１８１とが設けられている。
また、アンプ１６には、図４および図６に示すように、ミキシング回路９が内蔵されており、マイクロフォン１７，１８から入力される音声信号、および各楽器から出力される演奏信号は、ミキシング回路９において音声出力端子４１から出力される音楽信号とミキシングされる。
【００５８】
次に、カラオケ装置１０の一連の動作について図１２ないし図１５を参照して説明する。
図１２は、制御装置２０に備えられたＣＰＵ４５のリードタイミングを示すタイミングチャートである。図１３ないし図１５は、ＣＰＵ４５により実行される処理の内容を示すフローチャートであり、図１３は、選曲から再生を経て予約曲を再生するまでの主な処理内容を示すメインフローチャートであり、図１４は、楽器接続ボード８に楽器が接続されたことを検出して指定データを決定するための処理の内容を示すフローチャートであり、図１５は、図１３のステップ５００において実行されるＭＩＤＩデータ削除のための処理の内容を示すフローチャートである。
なお、ここでは、カラオケ装置１０の利用者は、楽器接続ボード８にエレキベースギター３を接続して演奏するものとする。
【００５９】
まず、カラオケ装置１０の利用者が、制御装置２０の電源ボタン３９を押して制御装置２０の電源を立ち上げると、それに連動して、アンプ１６、楽器接続ボード８およびモニタ１３，１４の電源が立ち上がる。そして、エレキベースギター３のホーンプラグ３ａを楽器接続ボード８のホーンジャック８４に接続すると、拡張Ｉ／Ｏポート８８の検知ポートＰ０２に現れる電圧がローレベルからハイレベルに変化する。続いて、ＣＰＵ４５は、図１２に示すように、拡張Ｉ／Ｏポート８８を選択するチップセレクト信号ＣＳを読込み、リード信号ＲＤが読込タイミングになると（図１４のステップ１０）、入力ポートＤ０ないしＤ７からデータを読込む（ステップ２０）。
【００６０】
続いて、その読み込んだデータに基づいてＲＯＭ４７に記憶されているデータテーブル７８から指定データを検索し（ステップ３０）、その検索された指定データをＲＡＭ４６に一時保存する（ステップ４０）。ここでは、検知ポートＰ０２に現れる電圧がローレベルからハイレベルに変化していることから、検知ポートＰ０２に対応する入力ポートＤ２からデータ「１」が検出されるため、ＣＰＵ４５は、データテーブル７８から入力ポートＤ２のデータが「１」であり、他の入力ポートＤ０，Ｄ１およびＤ３のデータが「０」の場合に対応する指定データＸ４Ｈを抽出してＲＡＭ４６に一時保存する。この指定データＸ４Ｈは、データテーブル７８に示すように、エレキベースギターのＭＩＤＩ音源を指定するＭＩＤＩデータ＃３を削除することを指定する。
【００６１】
一方、利用者が、歌いたい曲の選曲番号を送信器６０のテンキー６８により入力すると、その押す毎にテンキー６８に対応する数字が選曲番号表示部６１，２３に順次表示される。
続いて、最後の数字のテンキー６８を押してから選曲ボタン６９を押すと、選曲が終了したと判定され（図１３のステップ１００）、その選曲番号を示す選曲番号データがＲＡＭ４６に一時保存された後、その選曲番号に対応する曲データ１００の送信を要求するリクエスト信号がＬＡＮ回線１５を介してサーバー５８へ送信される（ステップ２００）。
【００６２】
そして、サーバー５８は、図示しない記憶装置から上記リクエスト信号に示される選曲番号に対応する曲データ１００を検索して読出し、その読出された曲データ１００は、ＬＡＮ回線１５を介して制御装置２０により受信され（ステップ３００）、ＲＡＭ４９に一時保存される（ステップ４００）。続いて、ＲＡＭ４９から曲データ１００が読出されるとともに、曲データ１００が再生される（ステップ５００）。この曲データ１００の再生では、背景映像の再生、歌詞テロップデータ１４０の再生、ＭＩＤＩデータ１１０の再生、マイクロフォン１７，１８から入力される音声信号の再生、楽器接続ボード８に接続されたエレキベースギター３から出力される演奏信号の再生などが行われる。
【００６３】
まず、歌詞テロップデータ１４０および背景映像の再生について説明する。
ＣＰＵ４５は、曲データ１００に含まれるジャンルデータ１５０を検出し、この検出されたジャンルデータ１５０に対応するジャンルの複数の背景映像の中から１つの背景映像を選択する。続いて、その選択された背景映像は、ＣＤ−ＲＯＭプレーヤ５３により再生され、その再生による背景映像信号は、映像制御回路５４によりモニタ１３，１４に表示可能な信号に変換され、図２０に示すように、モニタ１３，１４に背景映像２００として表示される。
【００６４】
また、曲データ１００に含まれる歌詞テロップデータ１４０は、ビデオＲＡＭ４８に書込まれ、歌詞を構成する文字を示すフォントデータに変換される。続いて、その変換されたフォントデータは、映像制御回路５４に入力され、モニタ１３，１４に表示可能な歌詞テロップ信号に変換され、図２０に示すように、モニタ１３，１４に歌詞テロップ２０２として表示される。
つまり、図２０に示すように、モニタ１３，１４には、背景映像２００の中に歌詞テロップ２０２がスーパーインポーズされた映像が表示される。
【００６５】
次に、ＭＩＤＩデータ１１０の再生について図１５のフローチャートを参照して説明する。
まず、ＲＡＭ４６に記憶されている指定データＸ４Ｈの読出しが開始され（ステップ５０２）、ＲＡＭ４９からＭＩＤＩデータ１１０の読出しが開始される（ステップ５０４）。続いて、指定データが読出されたかが判定されるが（ステップ５０６）、ここでは、ＲＡＭ４６から指定データＸ４Ｈが記憶されているため、肯定判定される。
【００６６】
続いて、ＭＩＤＩデータ１１０を説明する図７（Ｂ）に示すように、ＭＩＤＩデータ１１０の先頭に、曲の始まりをカウントするための曲カウントデータ１２０が付加される（ステップ５０８）。曲カウントデータ１２０としては、たとえば、ドラムの音を出すためのＭＩＤＩ音源を指定するＭＩＤＩデータ＃１が用いられる。
つまり、エレキベースギター３を演奏する者が、演奏を開始するタイミングをとり易いように、曲の始まりをドラムの音で知らせるようにする。また、曲カウントデータ１２０として、ドラムに代えて他のリズム楽器のＭＩＤＩ音源を指定するＭＩＤＩデータを用いることもできる。
【００６７】
続いて、ステップ５０４で順次読出されるＭＩＤＩデータ１１０が、データＸ４Ｈにより指定されるＭＩＤＩデータ、つまり、エレキベースギターの音源を指定するＭＩＤＩデータ＃３である場合には、ＭＩＤＩデータ＃３が削除される（ステップ５１２）。続いて、削除されなかったＭＩＤＩデータ１１０は、図示しないシーケンサに取り込まれ、ＣＰＵ４５に内蔵されたタイマのカウントにしたがってＭＩＤＩ音源ボード５１に書込まれる（ステップ５１４）。その書込まれるＭＩＤＩデータ１１０は、その構成を説明する図８（Ｂ）に示すように、ＭＩＤＩデータ＃３が削除されたものとなっている。そして、削除されていないＭＩＤＩデータが書込まれたＭＩＤＩ音源ボード５１から、音源信号が出力される（ステップ５１６）。
つまり、ＭＩＤＩデータ＃３は、ＭＩＤＩ音源ボード５１に書込まれないため、エレキベースギターの音を示す音源信号は、ＭＩＤＩ音源ボード５１から出力されない。
【００６８】
そして、ＭＩＤＩ音源ボード５１から出力される音源信号は、音声制御回路５２へ出力されるとともに、アンプ１６により増幅可能な音楽信号に変換され、この変換された音楽信号は、音声出力端子４１からアンプ１６のミキシング回路９へ出力される。また、マイクロフォン１７，１８から入力された音声信号は、アンプ１６に内蔵されたミキシング回路９において上記音楽信号とミキシングされる。
つまり、利用者は、モニタ１３，１４の画面に映し出された背景映像２００および歌詞テロップ２０２を見ながらマイクロフォン１７，１８を通して歌う（カラオケする）ことができる。
【００６９】
一方、エレキベースギター３のホーンプラグ３ａから出力された演奏信号は、楽器接続ボード８および出力端子８４ｄを介してミキシング回路９に入力され、上記音声信号および音楽信号とミキシングされる。そして、そのミキシングされたミキシング信号は、アンプ１６に内蔵された図示しない増幅回路により増幅された後にスピーカ１１，１１およびスピーカ１２，１２へ出力され、両スピーカによって再生される（図１３のステップ５００）。
【００７０】
つまり、利用者は、カラオケしながら、エレキベースギター３を演奏することができる。この場合、上述のように、ＭＩＤＩデータ１１０によってはエレキベースギターの音は再生されないため、利用者が演奏するエレキベースギター３の演奏音が、スピーカ１１，１１およびスピーカ１３，１３から出る音によって打ち消されることがない。
【００７１】
そして、曲データ１００の再生が終了し（図１３のステップ６００）、予約された選曲番号データがＲＡＭ４６に記憶されている場合には（ステップ７００）、その選曲番号データが読出され（ステップ８００）、上記ステップ１００ないしステップ７００が実行され、次に予約された曲でカラオケできるとともに、エレキベースギター３を演奏してカラオケに参加できる。
【００７２】
以上のように、本第１実施形態のカラオケ装置１０によれば、ＭＩＤＩデータ１１０がＭＩＤＩ音源ボード５１に書込まれる際に、エレキベースギターの音源を指定するＭＩＤＩデータを削除することができるため、ＭＩＤＩデータ１１０によりエレキベースギターの音が再生されないようにできる。そして、利用者が演奏するエレキベースギター３の演奏音をカラオケの曲とミキシングしてスピーカ１１，１１およびスピーカ１２，１２から出すことができるため、曲の演奏に溶け込むようにして参加することができる。
また、原曲とは異なるオリジナルの演奏をすることにより、変化に富んだカラオケを楽しむことができる。
更に、エレキベースギター３を演奏する者が、演奏を開始するタイミングをとり易くすることができる。
【００７３】
また、上記第１実施形態では、ステップ５１２において、楽器接続ボード８に接続された楽器と同じ楽器の音を出す音源を指定するＭＩＤＩデータを削除する処理を説明したが、図１６のフローチャートに示すように、ＣＰＵ４５により読み込まれたＭＩＤＩデータが、指定のＭＩＤＩデータである場合に（ステップ５１０）、その指定のＭＩＤＩデータをミュートするデータを付加することもできる。たとえば、ＭＩＤＩデータ１１０の構成を説明する図８（Ｃ）に示すように、ＭＩＤＩデータ＃３により発生するエレキベースギターの音をミュートするためのミュートデータ１１８を付加することにより、エレキベースギターの再生音にミュートをかけることができる。
【００７４】
つまり、ＭＩＤＩデータ１１０の再生により、スピーカ１１，１１およびスピーカ１２，１２から出るエレキベースギターの音をミュートがかかった音に変更することができる。
したがって、スピーカ１１，１１およびスピーカ１２，１２から出るエレキベースギターの音量を小さくすることができるため、利用者が演奏するエレキベースギター３の演奏音を目立たせることができる。これにより、ＭＩＤＩデータによるエレキベースギターの音を再生しない場合と同じように、曲の演奏に溶け込むようにして参加することができる。また、原曲のエレキベースギターの音は、小さい音量で聞くことができるため、メロディーを忘れた場合であっても、原曲のエレキベースギターの演奏に追従して演奏することができる。
【００７５】
次に、本発明第２実施形態のカラオケ装置について図１７ないし図１９を参照して説明する。
本第２実施形態のカラオケ装置は、楽器接続ボード８と制御装置２０との間で無線通信を行うことを特徴とする。
図１７は、楽器接続ボード８の制御系の主要構成をブロックで示す説明図であり、図１８は、制御装置２０の制御系の主要構成をブロックで示す説明図である。図１９は、楽器接続ボード８に備えられたＣＰＵ８９と制御装置２０に備えられたＣＰＵ４５との間で行われる通信制御の内容を示すフローチャートである。
【００７６】
最初に、楽器接続ボード８の制御系の主要構成について図１７を参照して説明する。
楽器接続ボード８には、制御装置２０と通信を行うための制御などを行うＣＰＵ８９が内蔵されており、このＣＰＵ８９には、制御装置２０へ送信される送信データなどが一時保存されるＲＡＭ９０と、データテーブル７８や通信制御プログラムなどが記憶されたＲＯＭ９１とが接続されている。また、楽器接続ボード８には、送信データを送信するためのアンテナ９３が備えられており、このアンテナ９３には、送信データをアンテナ９３へ出力する送信回路９２が接続されている。
【００７７】
また、送信回路９２には、スイッチ８１によりＯＮ，ＯＦＦされる電源回路９４が接続されており、この電源回路９４は、送信回路９２、ＣＰＵ８９、ＲＡＭ９０およびＲＯＭ９１などに電源を供給する。
アンテナ９３から送信される送信データは、その主要構成を説明する図７（Ｃ）に示すように、送信データであることを示すヘッダデータ１６２、楽器接続ボード８を他の楽器接続ボードと識別するためのカスタムデータ１６４と、指定データ１６６と、ホーンジャック８２ないし８５に接続された楽器から出力される演奏信号を示す演奏データ１６８とから構成される。
【００７８】
次に、制御装置２０の制御系の主要構成について図１８を参照して説明する。
制御装置２０には、楽器接続ボード８から送信される送信データ１６０を受信するためのアンテナ７７が備えられており、このアンテナ７７には、受信回路７６が接続されている。また、ＣＰＵ４５は、上記第１実施形態で説明した各種制御の他、ＲＯＭ４７に記憶された通信制御プログラムにしたがって、楽器接続ボード８との間で行う通信を制御する。
なお、本制御装置２０には、図４に示した拡張Ｉ／Ｏポート８８が内蔵されていないが、ＣＰＵ８９の図示しない入力ポートが、拡張Ｉ／Ｏポート８８の検知ポートの代わりをする。
【００７９】
次に、楽器接続ボード８に備えられたＣＰＵ８９と制御装置２０に備えられたＣＰＵ４５との間で行われる通信制御の内容について図１９を参照して説明する。
まず、ホーンジャック８４にエレキベースギター３のホーンプラグ３ａが接続され、ホーンジャック８４内のスイッチ８０がＯＮし、そのスイッチング信号を入力ポートで検出すると（ステップ６０）、その検出された入力ポートに対応する指定データをＲＯＭ９１に記憶されたデータテーブル７８から検索し、この検索された指定データ１６６を含む送信データ１６０を制御装置２０へ送信する（ステップ７０）。
【００８０】
そして、上記送信された送信データ１６０は、制御装置２０のアンテナ７７および受信回路７６により受信され（ステップ７２）、その受信された送信データ１６０に含まれる指定データ１６６がＲＡＭ４６に一時保存される（ステップ７４）。また、エレキベースギター３が演奏されると、その演奏信号は、楽器接続ボード８から制御装置２０へ送信され（ステップ８０）、制御装置２０により受信される（ステップ８２）。
そして、図１５に示すステップ５０２へ移行し、ステップ５０４ないしステップ５１６が実行され、上記第１実施形態と同じように、エレキベースギターの音を除いた音が再生される。また、上記受信された演奏信号は、音声制御回路５２を介して音声出力端子４１からアンプ１６に内蔵されたミキシング回路に入力され、音楽信号とミキシングされる。
【００８１】
以上のように本第２実施形態のカラオケ装置１０によれば、楽器接続ボード８を制御装置２０およびアンプ１６と接続コードで接続しなくても、ＭＩＤＩデータ１１０の中のエレキベースギターの音を指定するＭＩＤＩデータ＃３を削除してエレキベースギター以外の音を再生することができる。しかも、エレキベースギター３の演奏音を無線で送信して音楽信号とミキシングすることができる。
したがって、楽器接続ボード８を制御装置２０およびアンプ１６と接続する手間が不要である。また、楽器接続ボード８を演奏者の近傍に置いた場合であっても楽器接続ボード８と制御装置２０およびアンプ１６と接続する接続コードがないことから、接続コードが演奏者などの邪魔にならないため、演奏し易い。
【００８２】
なお、上記各実施形態では、エレキベースギター３を演奏する場合を代表に説明したが、電子ドラム１、キーボード２およびエレキギター４を楽器接続ボード８に接続した場合にも、その接続された楽器と同じ楽器の音を再生しないようにして、その接続された楽器を演奏してカラオケに参加できるのは勿論である。
たとえば、電子ドラム１およびエレキベースギター３を楽器接続ボード８に接続した場合には、削除されるＭＩＤＩデータは、図９に示すように、ＭＩＤＩデータ＃１および＃３に設定され、それらＭＩＤＩデータは、ＭＩＤＩ音源ボード５１に書込まれる前に削除される。そして、電子ドラムおよびエレキベースギターの音は、再生されない。これにより、電子ドラム１およびエレキベースギター３の演奏者は、自分の演奏する音を打ち消されることなく演奏できる。
【００８３】
また、上記各実施形態では、楽器接続ボード８を別体としたが、アンプ１６、または、制御装置２０に内蔵する構成にすることもできる。また、楽器本体からスイッチング信号および演奏信号をワイヤレスで送信する構成にすることもできる。
【００８４】
ところで、音声制御回路５２、音声出力端子４１、アンプ１６、スピーカ１１，１１およびスピーカ１２，１２が、本発明の楽音演奏手段に相当する。
また、ＣＰＵ４５により実行されるステップ５１４およびステップ５１６が、本発明の音源情報読出手段として機能し、ステップ１０ないしステップ４０、およびステップ５０２ないしステップ５１２が、楽音種類指定情報削除手段として機能する。さらに、ＣＰＵ８９により実行されるステップ６０およびステップ７０が、本発明のスイッチング信号送信手段として機能し、ステップ８０が、演奏信号送信手段として機能し、ステップ５１３が、楽音種類指定情報変更手段として機能する。
【００８５】
【発明の効果】
以上のように、本発明によれば、楽音の発生源となる音源情報が記憶された音源情報記憶手段から読出される音源情報により示される楽音のうち、所定の種類の楽音が演奏されないようにすることができる楽音再生装置を実現できる。
更に、削除した楽音を楽器によって演奏する者が、演奏を開始するタイミングをとり易くすることができる。
【図面の簡単な説明】
【図１】  本発明実施形態のカラオケ装置の主要構成を示すブロック図である。
【図２】  （Ａ）は、楽器接続ボード８の前面パネルの説明図であり、（Ｂ）は、楽器接続ボード８の背面パネルの説明図である。
【図３】  （Ａ）は、エレキベースギター３のホーンプラグ３ａが接続されていない状態を示す説明図であり、（Ｂ）は、ホーンプラグ３ａが接続された状態を示す説明図である。
【図４】  楽器接続ボード８の内部に設けられた拡張Ｉ／Ｏポートと各ホーンジャックとの接続関係を示す説明図である。
【図５】  （Ａ）は、カラオケ装置に備えられた制御装置の前面パネルの説明図であり、（Ｂ）は、制御装置の背面パネルの説明図である。
【図６】  制御装置の制御系の構成を示すブロック図である。
【図７】  （Ａ）は、サーバーから制御装置２０へ送信される曲データの主要構成を示す説明図であり、（Ｂ）は、ＭＩＤＩデータ１１０の説明図であり、（Ｃ）は、（Ｃ）は、送信データ１６０の主要構成を示す説明図である。
【図８】  （Ａ）は、曲データ１００に含まれるＭＩＤＩデータ１１０の主要構成を示す説明図であり、（Ｂ）は、ＭＩＤＩデータ１１０のの演奏部分１３０の構成を示す説明図であり、（Ｃ）は、ミュートデータ１３４が付加された演奏部分１３０の構成を示す説明図である。
【図９】  指定ＭＩＤＩデータテーブル７８の説明図である。
【図１０】  送信器６０の外観を示す説明図である。
【図１１】  アンプ１６の外観を示す説明図である。
【図１２】  制御装置２０に備えられたＣＰＵ４５のリードタイミングを示すタイミングチャートである。
【図１３】  選曲から曲データを再生するまでのＣＰＵ４５の主な処理内容を示すメインフローチャートである。
【図１４】  楽器接続ボード８に接続された楽器の検出をするためのＣＰＵ４５の処理内容を示すフローチャートである。
【図１５】  図１３のステップ５００において実行されるＭＩＤＩデータ削除のためのＣＰＵ４５の処理内容を示すフローチャートである。
【図１６】  図１３のステップ５００をミュートデータを付加するステップに変更した場合のフローチャートである。
【図１７】  楽器接続ボード８の制御系の主要構成をブロックで示す説明図である。
【図１８】  制御装置２０の制御系の主要構成をブロックで示す説明図である。
【図１９】  楽器接続ボード８に備えられたＣＰＵ８９と制御装置２０に備えられたＣＰＵ４５との間で行われる通信制御の内容を示すフローチャートである。
【図２０】  モニタ１３に表示される背景映像および歌詞テロップの説明図である。
【符号の説明】
３          エレキベースギター
３ａ        ホーンプラグ
８          楽器接続ボード
９          ミキシング回路
１０          カラオケ装置
１１，１２    スピーカ
１３，１４    モニタ
１６          アンプ
１７，１８    マイク
２０          制御装置
４５，８９    ＣＰＵ
５１          ＭＩＤＩ音源ボード
７６          受信回路
７７，９３    アンテナ
７８          指定ＭＩＤＩデータテーブル
８０          スイッチ
８２〜８６    ホーンジャック
８４ｅ        信号線
８８          拡張Ｉ／Ｏポート
９２          送信回路
１００          曲データ
１１０          ＭＩＤＩデータ
Ｐ００〜Ｐ１３  検知ポート
＃１〜＃４    ＭＩＤＩデータ
【図１】
0003881738.tif 000002
【図２】
0003881738.tif 000003
【図３】
0003881738.tif 000004
【図４】
0003881738.tif 000005
【図５】
0003881738.tif 000006
【図６】
0003881738.tif 000007
【図７】
0003881738.tif 000008
【図８】
0003881738.tif 000009
【図９】
0003881738.tif 000010
【図１０】
0003881738.tif 000011
【図１１】
0003881738.tif 000012
【図１２】
0003881738.tif 000013
【図１３】
0003881738.tif 000014
【図１４】
0003881738.tif 000015
【図１５】
0003881738.tif 000016
【図１６】
0003881738.tif 000017
【図１７】
0003881738.tif 000018
【図１８】
0003881738.tif 000019
【図１９】
0003881738.tif 000020
【図２０】
0003881738.tif 000021